(57)【要約】【課題】遊技機本体に対して遊技盤を着脱する作業を容易かつ迅速に行うことを可能とする。【解決手段】遊技盤に固有の特徴を付与する遊技盤側基板（例えば主制御基板100、演出制御基板200）を遊技盤に取り付けるとともに、遊技盤側基板以外の遊技機本体側基板（例えば電源基板300、発射・払出制御基板400）を遊技機本体に取り付ける。遊技盤側基板からの配線を含む遊技盤側配線と遊技機本体側基板からの配線を含む遊技機本体側配線とを、演出に関する信号を伝導する演出系配線32、電源を供給する電源系配線30、および遊技球の発射と供給・払出に関する信号を伝導する球供給・払出系配線31に集約し接続する。【選択図】          図１
2004202117.tif 000002
【特許請求の範囲】
【請求項１】
遊技機本体と、該遊技機本体に着脱可能に取り付けた遊技盤とを備え、
前記遊技盤に固有の特徴を付与する遊技盤側基板を前記遊技盤に取り付けるとともに、前記遊技盤側基板以外の遊技機本体側基板を前記遊技機本体に取り付けた弾球遊技機であって、
前記遊技盤側基板からの配線を含む遊技盤側配線と前記遊技機本体側基板からの配線を含む遊技機本体側配線とを、演出に関する信号を伝導する演出系配線、電源を供給する電源系配線、および遊技球の発射と供給・払出に関する信号を伝導する球供給・払出系配線に集約し接続したことを特徴とする弾球遊技機。
【請求項２】
前記遊技盤側基板は、遊技に関する主たる制御を行う主制御基板、および演出に関する制御を行う演出制御基板からなり、
前記遊技機本体側基板は、電源基板、および発射・払出制御基板からなり、
前記演出系配線、前記電源系配線、および前記球供給・払出系配線に区分して結束したことを特徴とする請求項１記載の弾球遊技機。
【請求項３】
前記遊技機本体または前記遊技盤に、前記演出系配線、前記電源系配線、および前記球供給・払出系配線のいずれか、もしくは全ての接続中継を行う中継コネクタを設けたことを特徴とする請求項１または２記載の弾球遊技機。
【発明の詳細な説明】
【０００１】
【発明の属する技術分野】
本発明は、弾球遊技機に関し、特に、遊技機本体と、該遊技機本体に着脱可能に取り付けられた遊技盤とを備えた弾球遊技機に関する。
【０００２】
【従来の技術】
従来、パチンコ機等の弾球遊技機は、弾発された遊技球が入賞する複数の入賞口、障害部材、および液晶表示装置等を備えた遊技盤を有しており、遊技機本体（遊技機枠）に対して遊技盤を組み付けることにより弾球遊技機を製造している（例えば特許文献１参照）。
【０００３】
このような弾球遊技機は、遊技の面白さを高め、かつ、その弾球遊技機固有の特徴を際立たせるために、遊技盤面上の入賞口を含む入賞部材の構造および配置のみならず、遊技内容や、デザイン、装飾等に至るまで種々の工夫が施されている。また、液晶表示装置等からなる画像表示装置を備えた機種では、画像表示装置の画面において遊技に関連した種々の演出画像を表示するようになっており、この演出画像も遊技の面白さを高め、かつ、その弾球遊技機固有の特徴を際立たせるための重要な要素となっている。
【０００４】
ところで、近年の弾球遊技機では、遊技者の嗜好の変化にいち早く対応して、頻繁に遊技盤の構造や画像表示装置に表示される演出画像を改良することが行われている。この際、弾球遊技機全体を交換したのでは、交換作業が面倒であるだけではなく、設備費用が嵩むという問題がある。このため、弾球遊技機に共通の部材、例えば遊技球の発射装置、払出装置、および供給装置等を遊技機本体に取り付けたままで、機種変更の主要部分であり、その弾球遊技機固有の特徴をもつ遊技盤のみを交換することが考えられている。
【０００５】
【特許文献１】
特開２０００−１９７７５５号公報
【０００６】
【発明が解決しようとする課題】
しかしながら、上述した従来の弾球遊技機では、遊技機本体の背面側に、主制御基板、図柄制御基板、音声制御基板、ランプ制御基板、電源基板、賞球制御基板、および発射・払出制御基板等の種々の基板が取り付けられており、これらの基板の間が複数の配線により接続されている（例えば前記特許文献１の図１，４，５参照）。
【０００７】
また、基板の間を接続する配線の取り回しは複雑なものとなっており、遊技機本体から遊技盤を取り外す際、あるいは遊技機本体に対して遊技盤を取り付ける際の作業が面倒であり、遊技盤のみを交換することは可能であっても、その作業が容易であるとは言い難かった。
【０００８】
本発明は、上述した事情に鑑み提案されたもので、遊技機本体に対して遊技盤を着脱する作業を容易かつ迅速に行うことが可能な弾球遊技機を提供することを目的とする。
【０００９】
【課題を解決するための手段】
本発明に係る弾球遊技機は、上述した目的を達成するため、以下の特徴点を備えている。なお、本発明に係る弾球遊技機の各構成要素について、図面に付した符号を参照して、具体的な適用例を示すが、各構成要素はこれらに限定されるものではない。
【００１０】
すなわち、本発明に係る弾球遊技機（パチンコ機１）は、遊技機本体（外枠２等）と、該遊技機本体（外枠２等）に着脱可能に取り付けた遊技盤（５０）とを備え、
前記遊技盤（５０）に固有の特徴を付与する遊技盤側基板を前記遊技盤（５０）に取り付けるとともに、前記遊技盤側基板以外の遊技機本体側基板を前記遊技機本体（外枠２等）に取り付けた弾球遊技機（パチンコ機１）であって、
前記遊技盤側基板からの配線を含む遊技盤側配線と前記遊技機本体側基板からの配線を含む遊技機本体側配線とを、演出に関する信号を伝導する演出系配線（３２）、電源を供給する電源系配線（３０）、および遊技球の発射と供給・払出に関する信号を伝導する球供給・払出系配線（３１）に集約し接続したことを特徴とするものである。
【００１１】
このような構成からなる弾球遊技機（パチンコ機１）では、遊技盤側基板により遊技盤（５０）に固有の特徴が付与され、遊技機本体側基板により遊技盤（５０）に固有の特徴を付与する以外の動作が行われる。このように基板体系が明確に区分されているため、遊技盤（５０）の交換を容易かつ迅速に行うことが可能となる。
【００１２】
また、遊技盤側基板と遊技機本体側基板との間では、演出系配線（３２）により演出に関する信号が伝導され、電源系配線（３０）により電源が供給され、球供給・払出系配線（３１）により遊技球の発射と供給・払出に関する信号が伝導される。すなわち、配線に関しても体系が明確に区分されているため、さらに遊技盤（５０）の交換を容易かつ迅速に行うことが可能となる。
したがって、遊技機本体に対して遊技盤を着脱する際の作業を容易かつ迅速に行うことができるため、遊技者の嗜好に合わせて遊技盤を頻繁に交換する必要がある弾球遊技機において、遊技盤の交換における作業効率を向上させることが可能となる。
【００１３】
また、本発明に係る弾球遊技機（パチンコ機１）において、前記遊技盤側基板は、遊技に関する主たる制御を行う主制御基板（１００）、および演出に関する制御を行う演出制御基板（２００）からなり、
前記遊技機本体側基板は、電源基板（３００）、および発射・払出制御基板（４００）からなり、
前記演出系配線（３２）、前記電源系配線（３０）、および前記球供給・払出系配線（３１）に区分して結束するように構成することが可能である。
【００１４】
このような構成からなる弾球遊技機（パチンコ機１）では、演出系配線（３２）、電源系配線（３０）、および球供給・払出系配線（３１）が区分して結束されているため、配線の系統が明確となり、配線の接続作業を容易に行うことができるとともに、配線の接続作業ミスを未然に防止することができる。
【００１５】
また、本発明に係る弾球遊技機（パチンコ機１）において、前記遊技機本体（外枠２等）または前記遊技盤（５０）に、前記演出系配線（３２）、前記電源系配線（３０）、および前記球供給・払出系配線（３１）のいずれか、もしくは全ての接続中継を行う中継コネクタ（１５ａ，１５ｂ）を設けて構成することが可能である。
【００１６】
このような構成からなる弾球遊技機（パチンコ機１）では、各配線（３０，３２）を中継コネクタ（１５ａ，１５ｂ）に接続することにより、遊技盤側基板（主制御基板１００および演出制御基板２００）と遊技機本体側基板（電源基板３００および発射・払出制御基板４００）とを接続することができる。このため、配線の接続作業をさらに容易に行うことができるとともに、配線の接続作業ミスを未然に防止することができる。
【００１７】
【発明の実施の形態】
以下、図面を参照して、本発明に係る弾球遊技機の実施形態を説明する。
なお、以下に示す実施形態では、代表的な弾球遊技機であるパチンコ機を例にとって説明を行う。
【００１８】
＜パチンコ機の概略構成＞
図４、図５は、本発明の一実施形態に係るパチンコ機を示すもので、図４はパチンコ機の正面図、図５はパチンコ機の斜視図である。
本発明の一実施形態に係るパチンコ機１は、図４、図５に示すように、遊技機本体の一部として機能する外枠２と、この外枠２の上半部に開閉可能に取り付けられたフロントドア３を備えており、その下方には操作部４が設けられている。
【００１９】
操作部４には、遊技に使用する遊技球を貯留するとともに賞として払い出される遊技球を受け入れる上皿５と、上皿５からオーバーフローした遊技球を受け入れる下皿６とが上下に並べて取り付けられている。また、下皿６の右側には遊技球の発射操作を行なう発射ハンドル７が設けられ、下皿６の左側には灰皿８が設けられている。さらに、上皿５には、当該パチンコ機１における球貸操作等を行なう操作パネル９が設けられている。
【００２０】
また、フロントドア３には、遊技部を前方側から覆うようにしてガラス板等からなる透明板１６が取り付けられており、フロントドア３の上部前面には遊技盤５０（図６参照）が取り付けられている。
【００２１】
さらに、フロントドア３には、遊技部の周囲前方に位置するようにして装飾枠１０が設けられており、装飾枠１０の上部には、左右一対のスピーカ装置１１が配設されている。
【００２２】
＜遊技機本体の背面側の構成＞
以下、外枠２等からなる遊技機本体の背面側の構成を説明する。図２は、パチンコ機の背面図である。
パチンコ機の背面側には、図２に示すように、その上部に、遊技球を貯留する球タンク１２が設けられており、球タンク１２から上皿５及び下皿６へ至る遊技球流下路１３に遊技球を払い出す払出装置１４が設けてられている。
【００２３】
また、遊技盤５０の背面側に位置するようにして、主制御基板１００および演出制御基板２００が取り付けられている。この主制御基板１００および演出制御基板２００が、遊技盤５０固有の特徴を付与する遊技盤側基板である。
【００２４】
主制御基板１００は、遊技に関する主たる制御を行う制御基板であり、演出制御基板２００、および発射・払出制御基板４００は、主制御基板１００の制御下に置かれる。演出制御基板２００は、後に詳述する画像表示装置における画像表示の制御を行う制御基板であり、画像表示装置の背面側に配設されている。
【００２５】
また、遊技盤５０の下側には、電源基板３００および発射・払出制御基板４００が取り付けられている。この電源基板３００および払出・発射制御基板４００が、遊技盤側基板以外の遊技機本体側基板である。電源基板３００は、遊技機に供給される電源に関する基板であり、発射・払出制御基板４００は、遊技球の発射、供給、および払い出しに関する制御を行う制御基板である。
【００２６】
また、遊技機本体側には、主制御基板１００の右側に位置するようにして、２つの中継コネクタ１５ａ，１５ｂと、払出・発射制御基板４００にコネクタ１５ｃが、及び遊技盤側には、主制御基板１００にコネクタ１５ｄが設けられている。この中継コネクタ１５ａ，１５ｂを介して、後に詳述する演出系配線３２、電源系配線３０の中継が行われ、コネクタ１５ｃ，１５ｄ間に球供給・払出系配線３１が接続される。
【００２７】
このように、中継コネクタ１５ａ，１５ｂを用いて演出系配線３２、電源系配線３０の接続中継を行うとともに、コネクタ１５ｃ，１５ｄを用いて球供給・払出系配線３１の配線を行うことにより、配線の接続作業をさらに容易に行うことができるとともに、配線の接続作業ミスを未然に防止することができる。
【００２８】
また、中継コネクタ１５ａ，１５ｂおよびコネクタ１５ｃ，１５ｄは、その形状をそれぞれ互いに異ならせることが好ましく、さらに誤挿入防止突起等を設けることが好ましい。これにより、より一層、配線の接続作業が容易になるとともに、配線の接続作業ミスを確実に防止することができる。
【００２９】
＜各制御基板の接続関係＞
以下、主制御基板１００、演出制御基板２００、電源基板３００、および発射・払出制御基板４００の接続について説明する。図１は、主制御基板１００、演出制御基板２００、電源基板３００、および発射・払出制御基板４００の接続関係を示すブロック図である。
【００３０】
上述したように、遊技機本体の背面側には、主制御基板１００、演出制御基板２００、電源基板３００、および発射・払出制御基板４００が配設されている。また、主制御基板１００および演出制御基板２００は、遊技盤５０の背面側に遊技盤５０と一体となるように取り付けられており、電源基板３００および発射・払出制御基板４００は、遊技機本体側（外枠２側）に取り付けられている。
なお、図１において破線で囲まれた部分が、遊技盤５０に取り付けられた部材である。
【００３１】
そして、図１に示すように、主制御基板１００および演出制御基板２００と電源基板３００は、電源を供給する電源系配線３０により接続されており、主制御基板１００と発射・払出制御基板４００は、遊技球の発射と供給・払出に関する制御信号を伝導する球供給・払出系配線３１により接続されており、演出制御基板２００と一対のスピーカ１１，１１、複数のＬＥＤ基板２０・・・、および７セグ基板２１は、演出に関する制御信号を伝導する演出系配線３２により接続されている。
【００３２】
また、発射・払出制御基板４００は、発射ハンドル７からの発射信号を受信して発射ソレノイド１７を制御して遊技球の弾発を行う。また、発射・払出制御基板４００は、払出装置１４と信号の伝導を行い、賞球および貸球の払い出しを制御する。なお、発射・払出制御基板４００に対しても、電源基板３００から電源が供給される。
【００３３】
演出制御基板２００は、主制御基板１００とシリアル双方向通信を行うことにより主制御基板１００の制御下に置かれている。また、演出制御基板２００は、画像表示装置５４における特別図柄の表示、普通図柄部５５の表示、および演出画像の表示に関する制御を行う。
【００３４】
なお、演出系配線３２、電源系配線３０、および球供給・払出系配線３１は、それぞれ区分して結束されている。
以下、演出系配線３２、電源系配線３０、および球供給・払出系配線３１の結束について説明する。図３は、主制御基板１００を取り外した状態の遊技盤５０の背面図である。
【００３５】
先に説明したように、演出制御基板２００には、スピーカ１１、ＬＥＤ基板３０、および７セグ基板２１に対して信号を送信する演出系配線３２が接続されている。また、主制御基板１００および演出制御基板２００には、電源基板３００から電源を供給する電源系配線３０が接続されている。さらに、主制御基板１００には、球供給・払出系配線３１が接続されている。
【００３６】
演出系配線３２は、図３に示すように、演出制御基板２００側において、音声制御信号を出力する音声信号出力線３２ａと、その他の演出信号を出力する演出信号出力線３２ｂに分岐しており、これらが結束具３３ａにより結束されて１つのプラグに接続されている。さらに、結束具３３ａにはタグ３４ｂが取り付けてある。この演出系配線３２は、中継プラグ１５ａ（図２参照）に接続される。
【００３７】
なお、演出系配線３２において、音声信号出力線３２ａ側と演出信号出力線３２ｂ側のプラグ形状を異ならせることが好ましい。これにより、接続作業が容易となるとともに、接続作業ミスを防止することができる。
また、電源系配線３０は、図３に示すように、主制御基板１００および演出制御基板２００側においてそれぞれ主制御基板側電源系配線３０ａおよび演出制御基板側電源系配線３０ｂに分岐しており、これらが結束具３３ｂにより結束されて１つのプラグに接続されている。さらに、結束具３３ｂにはタグ３４ｂが取り付けてある。この電源系配線３０は、中継プラグ１５ｂ（図２参照）に接続される。
【００３８】
なお、電源系配線３０において、主制御基板１００側と演出制御基板２００側のプラグ形状を異ならせることが好ましい。これにより、接続作業が容易となるとともに、接続作業ミスを防止することができる。
さらに、タグ３４ａ，３４ｂは、それぞれ異なる色とすることが好ましい。これにより、演出系配線３２および電源系配線３０を明確に区別することができる。
【００３９】
なお、詳細には図示しないが、球供給・払出系配線３１も、同様に結束具により結束されており、結束具には色違いのタグが取り付けられている。この球供給・払出系配線３１は、主制御基板１００側ではコネクタ１５ｃに接続され、発射・払出制御基板４００ではコネクタ１５ｄ（図２参照）に接続される。
【００４０】
このように、演出制御基板２００側では音声信号出力線３２ａおよび演出信号出力線３２ｂの２系統に分岐している演出系配線３２を、中継コネクタ１５ａ側で１つにまとめて結束するとともに、主制御基板１００および演出制御基板２００側において主制御基板側電源系配線３０ａおよび演出制御基板側電源系配線３０ｂに分岐している電源系配線３０を、中継コネクタ１５ｂ側で１つにまとめて結束することにより、中継コネクタ１５ａに対する演出系配線３２の接続作業、および中継コネクタ１５ｂに対する電源配線３０の接続作業が容易となり、接続に関する作業ミスを確実に防止することができる。同様に、球供給・払出系配線３１も結束具により結束されているので、コネクタ１５ｃに対する球供給・払出系配線３１の接続作業を容易に行うことができる。
【００４１】
すなわち、遊技盤５０に対して主制御基板１００および演出制御基板２００を取り付ける際には、遊技盤５０に対して主制御基板１００および演出制御基板２００を取り付けた後に、タグ３４ａ，３４ｂ等により明確に区別された電源系配線３０、演出系配線３２、および球供給・払出系配線３１を、それぞれのプラグ形状に合わせて各コネクタに接続することにより、容易かつ正確に配線の接続を行うことができる。この際、電源系配線３０、演出系配線３２、および球供給・払出系配線３１が各々結束されているため、配線が絡まることがなく、配線の取り回しを容易に行うことができるので、配線作業を一層容易に行うことができる。
【００４２】
同様に、遊技盤５０から主制御基板１００および演出制御基板２００を取り外す際には、まず電源系配線３０、演出系配線３２および球供給・払出系配線３１を取り外した後に、遊技盤５０から主制御基板１００および演出制御基板２００を取り外すことにより、主制御基板１００および演出制御基板２００の取り外し作業を容易かつ迅速に行うことができる。この際、電源系配線３０、演出系配線３２、および球供給・払出系配線３１が結束されているため、配線が絡まることがなく、配線の取り回しを容易に行うことができるので、主制御基板１００および演出制御基板２００の取り外し作業を一層容易に行うことができる。
【００４３】
＜遊技盤＞
フロントドア３の上部前面に取り付けられた遊技盤は、図４に示すように、その表面に一対のガイドレール５１で囲まれた略円形の遊技部５２を備えており、遊技部５２内には、複数の障害釘や風車等の障害部材５３が配設されるとともに、複数の特別図柄を変動表示するとともに演出画像を表示する画像表示装置５４と、普通図柄を変動表示する普通図柄表示部５５（画像表示装置５４において画像表示される）と、複数の入賞口と、いずれの入賞口にも入賞しなかった遊技球を遊技部５２内から排出するアウト口５６とが設けられている。
【００４４】
上記画像表示装置５４の周囲には、遊技盤５０の表面から立ち上がる枠体５７が設けられており、この枠体５７の下辺部分には、側方から飛び込んだ遊技球を一時滞留させ、その後この遊技球を後述する始動入賞口６２に流下させるステージ５８が設けられている。
【００４５】
＜入賞口＞
上記入賞口は、その機能によって複数種類に分かれており、遊技球が入賞したことを条件として所定数の賞球を排出する一般入賞口５９と、遊技球が通過したことを条件として、普通図柄表示部５５における普通図柄の変動表示を開始させる普通図柄始動口６０と、遊技球を受け入れ易い状態と、遊技球を受け入れ難い状態との間で切換可能な変動部材（以下、普通電動役物６１と称す）を有し、遊技球が入賞したことを条件として画像表示装置５４における特別図柄の変動表示を開始させる始動入賞口６２と、遊技球を受け入れ易い状態と、遊技球を受け入れ難い状態との間で切換可能となっており、画像表示装置５４における図柄の停止表示態様が所定の賞態様を構成した場合に、所定時間および所定回数だけ遊技球を受け入れ易い状態に切り換えられる大入賞口６３とからなる。
【００４６】
＜普通図柄始動口＞
上記普通図柄始動口６０は、始動入賞口６２の左上方に設けられており、通過する遊技球を検出するようになっている。この普通図柄始動口６０の通過球は、４個まで記憶可能となっており、この入賞記憶に基づいて、普通図柄表示部５５における図柄の変動表示が行なわれる。また、画像表示装置５４の右側上部には、普通図柄始動口６０の通過記憶個数を表示する４個の普通図柄記憶ＬＥＤ６４が設けられている。この普通図柄記憶ＬＥＤ６４の点灯個数により、普通図柄始動口６０の通過記憶個数を表示することができる。
【００４７】
＜始動入賞口＞
上記始動入賞口６２の左右には、遊技球を受け入れ易い状態と、遊技球を受け入れ難い状態との間で切換可能なチューリップ状の普通電動役物６１が設けられている。この普通電動役物６１は、通常の状態では遊技球を受け入れ難い状態となっており、普通図柄表示部５５において「当たり」となった場合に、所定時間（例えば、０．３秒間）だけ遊技球を受け入れ易い状態に切り換えられる。
【００４８】
また、始動入賞口６２への入賞球は、４個まで記憶可能となっており、この入賞記憶に基づいて、画像表示装置５４における図柄の変動表示が行なわれる。画像表示装置５４の上方には、始動入賞口６２への入賞記憶個数を表示する４個の特別図柄記憶ＬＥＤ６５が設けられている。この特別図柄記憶ＬＥＤ６５の点灯個数により、始動入賞口６２への入賞記憶個数を表示することができる。
【００４９】
＜入賞球等の流下路＞
以下、入賞球等の流下路について説明する。図６は、主制御基板１００および演出制御基板２００を取り外した状態の遊技盤５０の背面図である。
遊技盤５０の背面側には、図６に示すように、各入賞口５９，６２，６３（図４参照）への入賞球等の流下路を形成するとともに、大入賞口６３を駆動するソレノイド等をカバーする支持部材７０が取り付けられている。
【００５０】
本実施形態に係るパチンコ機の支持部材７０に設けられた入賞球等流下路７１は、各入賞口５９，６２，６３へ入賞した遊技球とアウト口５６へ取り込まれた遊技球とを合流させて流下させる構造となっており、遊技盤５０の正面側から見て左側（図６において右側）に位置する一般入賞口５９，５９からの入賞球を流下させる左側入賞球流下路７１ａと、遊技盤５０正面側から見て右側に位置する一般入賞口５９，５９（図６において左側）からの入賞球を流下させる右側入賞球流下路７１ｂとを有しており、左側入賞球流下路７１ａおよび右側入賞球流下路７１ｂの下端部において両流下路が合流する。また、入賞球等流下路７１の合流部には、大入賞口６３への入賞球の流下口およびアウト口５６が連通接続されており、遊技盤５０面上を流下する全ての遊技球を合流させて、遊技盤５０の背面側へ導くようになっている。
【００５１】
また、左側入賞球流下路７１ａおよび右側入賞球流下路７１ｂの下端部付近には、それぞれ遊技球を検知する左側入賞口スイッチ７２ａおよび右側入賞口スイッチ７２ｂが設けられている。また、普通図柄始動口６０への連通路には第１種始動口スイッチ７３が設けられており、大入賞口６３への連通路にはカウントスイッチ７４およびＶカウントスイッチ７５が設けられている。また、始動入賞口６２には、ゲートスイッチ７６が設けられている。なお、始動入賞口６２は、いわゆる通過ゲートとなっているため、始動入賞口６２への入賞球は、入賞球等流下路７１へアウト口５６より取り込まれる。
【００５２】
さらに、左側入賞球流下路７１ａおよび右側入賞球流下路７１ｂには、各一般入賞口５９への入賞球を検知する入賞口スイッチ（図示せず）を取り付ける入賞口スイッチ取付部７７が設けられている。この入賞口スイッチ取付部７７に対して入賞口スイッチを取り付けることにより、パチンコ機の出荷検査時等において、各一般入賞口５９への入賞球を検知することができる。
【００５３】
＜画像表示装置＞
上記画像表示装置５４は、遊技部５２のほぼ中央に設けられた液晶表示装置からなり、画像で表現される複数の特別図柄を変動表示するとともに、遊技状態に対応したアニメーション表示を行なうことにより、遊技演出を行なうことができるようになっている。
【００５４】
画像表示装置５４に表示される特別図柄は、例えば「０」「１」「２」・・・「９」「１０」「１１」等の数字からなり、停止表示された数字の組み合わせが「０」「０」「０」、「７」「７」「７」等のように３個とも同一の数字となった場合を「大当たり」として、一般遊技と比較して遊技者に有利な特別遊技を行なうことができる。
この特別遊技とは、例えば大入賞口６３を、所定時間および所定回数だけ遊技球を受け入れ易い状態に切り換えて、一般遊技よりも多くの遊技球を入賞させることにより、多くの賞球を獲得することができるような遊技である。
【００５５】
＜普通図柄表示部＞
上記普通図柄表示部５５は、画像表示装置５４内に画像として表示されるようになっている。この普通図柄表示部５５では、例えば２個の普通図柄が交互に点滅するようになっており、２個の普通図柄の点滅が終了して「当たり」が表示された場合に、始動入賞口６２に設けられた普通電動役物６１を、所定時間だけ遊技球を受け入れ易い状態に切り換えて、始動入賞口６２に遊技球を入賞させ易くする。
【００５６】
なお、普通図柄表示部５５は、上述した構成の他に、２個の普通図柄表示ＬＥＤを備えて構成することができ、また、例えば７セグメント表示器等により構成することもできる。この場合には、７セグメント表示器に表示する普通図柄として、例えば「０」「１」「２」・・・「７」「８」「９」等の数字を変動表示し、停止表示された数字が「３」あるいは「７」となった場合を「当たり」とする。
【００５７】
＜パチンコ機における遊技＞
上記パチンコ機１では、発射装置（図示せず）の発射ハンドル７を操作することにより、発射勢が調整された遊技球が遊技部５２内に弾発される。そして、遊技部５２内に発射された遊技球が、一般入賞口５９等に入賞すると、所定数（例えば１０個）の賞球を払い出す。
【００５８】
また、普通図柄始動口６０を遊技球が通過したことを条件として、普通図柄表示部５５における普通図柄の変動表示を開始させる。そして、乱数を用いた抽選により、普通図柄表示部５５における普通図柄の停止表示態様を決定し、この決定に基づいて普通図柄の変動表示を停止させる。
【００５９】
ここで、普通図柄表示部５５における普通図柄の停止表示態様が、「当たり」となると、始動入賞口６２に設けられた普通電動役物６１を所定時間（例えば、０．３秒間）だけ遊技球を受け入れ易い状態に切り換える。
【００６０】
また、始動入賞口６２に遊技球が入賞したことを条件として、画像表示装置５４における特別図柄の変動表示を開始させる。そして、乱数を用いた抽選により、画像表示装置５４における特別図柄の停止表示態様を決定し、この決定に基づいて特別図柄の変動表示を停止させる。
【００６１】
ここで、画像表示装置５４における特別図柄の停止表示態様が「大当たり」となると、大入賞口６３を所定時間（例えば３０秒）あるいは所定個数（例えば１０個）の入賞球を受け入れるまで開放する。また、大入賞口６３内には継続入賞口（図示せず）が設けられており、大入賞口６３内に入賞した遊技球が継続入賞口にも入賞すると、上述した大入賞口６３の開放が、所定回数（例えば１６回）に達するまで繰り返される。
【００６２】
＜遊技盤の着脱手順＞
次に、遊技機本体に対して遊技盤５０を着脱する手順について説明する。
遊技盤５０は、遊技機本体に設けた窓部（図示せず）を前方から塞ぐようにしてフロントドア３に取り付けられる。なお、遊技盤５０の背面側には、予め主制御基板１００および演出制御基板２００が取り付けられているものとし、これらをパネル部と称して説明を行う。
【００６３】
遊技機本体に対してパネル部を取り付ける手順は以下の通りである。
（１）パネル部をフロントドア３のパネルサポートに取り付ける。
（２）フロントドア３のパネル部ロック（２箇所）を閉じる。
（３）上皿５が付設されているドアを閉じる。
（４）装飾枠１０を閉じる。
（５）球供給・払出型配線３１のコネクタを挿す。
（６）演出系配線３２のコネクタを挿す。
（７）電源系配線３０のコネクタを挿す。
（８）フロントドア３を閉じる。
【００６４】
また、遊技機本体からパネル部を取り外す手順は以下の通りである。
（１）フロントドア３を開放する。
（２）電源系配線３０のコネクタを抜く。
（３）演出系配線３２のコネクタを抜く。
（４）球供給・払出型配線３１のコネクタを抜く。
（５）装飾枠１０を開放する。
（６）上皿５が付設されているドアを開放する。
（７）フロントドア３のパネル部ロック（２箇所）を開放する。
（８）パネル部をフロントドア３のパネルサポートから取り外す。
上記のように、遊技機本体への遊技盤５０の着脱手順が少なく、作業が容易となっている。
【００６５】
＜他の実施形態＞
なお、上述した実施形態ではパチンコ機を例にとって説明を行ったが、本発明に係る弾球遊技機はパチンコ機に限られるものではなく、遊技機本体と、該遊技機本体に着脱可能に取り付けた遊技盤とを備え、遊技盤に固有の特徴を付与する遊技盤側基板を遊技盤に取り付けるとともに、遊技盤側基板以外の遊技機本体側基板を遊技機本体に取り付けた弾球遊技機であればどのような弾球遊技機にも適用することができ、例えばアレンジボール遊技機等にも適用することができる。
【００６６】
【発明の効果】
以上説明したように、本発明に係る弾球遊技機は、遊技盤に固有の特徴を付与する遊技盤側基板を遊技盤に取り付けるとともに、遊技盤側基板以外の遊技機本体側基板を遊技機本体に取り付け、遊技盤側基板からの配線を含む遊技盤側配線と遊技機本体側基板からの配線を含む遊技機本体側配線とを、演出に関する信号を伝導する演出系配線、電源を供給する電源系配線、および遊技球の発射と供給・払出に関する信号を伝導する球供給・払出系配線に集約し接続している。
【００６７】
したがって、遊技機本体に対して遊技盤を着脱する作業を容易かつ迅速に行うことができる。このため、遊技者の嗜好に合わせて遊技盤を頻繁に交換する必要がある弾球遊技機において、遊技盤の交換における作業効率を向上させることが可能となる。
【図面の簡単な説明】
【図１】本発明の実施形態に係るパチンコ機において、主制御基板、演出制御基板、電源基板、および発射・払出制御基板の接続関係を示すブロック図
【図２】本発明の実施形態に係るパチンコ機の背面図
【図３】本発明の実施形態に係るパチンコ機において、主制御基板を取り外した状態の遊技盤の背面図
【図４】本発明の実施形態に係るパチンコ機の正面図
【図５】本発明の実施形態に係るパチンコ機の斜視図
【図６】本発明の実施形態に係るパチンコ機において、主制御基板および演出制御基板を取り外した状態の遊技盤の背面図
【符号の説明】
１  パチンコ機
２  外枠
３  フロントドア
４  操作部
５  上皿
６  下皿
７  発射ハンドル
８  灰皿
９  操作パネル
１０  装飾枠
１１  スピーカ
１２  球タンク
１３  遊技球流下路
１４  払出装置
１５ａ，ｂ  中継コネクタ
１５ｃ，ｄ  コネクタ
１６  透明板
１７  発射ソレノイド
２０  ＬＥＤ基板
２１  ７セグ基板
３０  電源系配線
３０ａ  主制御基板側電源系配線
３０ｂ  演出制御基板側電源系配線
３１  球供給・払出系配線
３２  演出系配線
３２ａ  音声信号出力線
３２ｂ  演出信号出力線
３３ａ，ｂ  結束具
３４ａ，ｂ  タグ
５０  遊技盤
５１  ガイドレール
５２  遊技部
５３  障害部材
５４  画像表示装置
５５  普通図柄表示部
５６  アウト口
５７  枠体
５８  ステージ
５９  一般入賞口
６０  普通図柄始動口
６１  普通電動役物
６２  始動入賞口
６３  大入賞口
６４  普通図柄記憶ＬＥＤ
６５  特別図柄記憶ＬＥＤ
７０  支持部材
７１  入賞球等流下路
７１ａ  左側入賞球流下路
７１ｂ  右側入賞球流下路
７２ａ  左側入賞口スイッチ
７２ｂ  右側入賞口スイッチ
７３  第１種始動口スイッチ
７４  カウントスイッチ
７５  Ｖカウントスイッチ
７６  ゲートスイッチ
７７  入賞口スイッチ取付部
１００  主制御基板
２００  演出制御基板
３００  電源基板
４００  発射・払出制御基板
【図１】
2004202117.tif 000003
【図２】
2004202117.tif 000004
【図３】
2004202117.tif 000005
【図４】
2004202117.tif 000006
【図５】
2004202117.tif 000007
【図６】
2004202117.tif 000008